(57)【要約】      （修正有）【課題】紐締め式靴は移動中に靴紐の結び目が緩んでほどけてしまう事、更に結び目余り部分が自由に振れて周囲の物に引っ掛かる事、等の欠点があった。以上のような問題点をなくすための靴紐結束具及び、靴紐結束具を用いた靴を提供する。【解決手段】靴３の靴紐交差部に通して靴紐結束具を靴３に固定するための一ヶ所以上の筒状部分を備えた帯板１（以降は筒状帯板１と表す）を設け、更に靴紐４の結び目余り部分８が自由に振れないように、束ねて結束するための帯板状締め具２を設けて、前記の筒状帯板１と一体とした。以上の構成により、結び目７と結び目余り部分８が一体として結束された状態で靴に固定され、結び目７が緩んでほどけたり、結び目余り部分８が周囲の物に引っ掛かったりすることなどを防ぐことができる。【選択図】図３
2017104469.tif 000002
【特許請求の範囲】
【請求項１】
紐締め式靴（以降は靴と表す）の靴紐交差部に通して靴紐結束具を靴に固定するための一ヶ所以上の筒状部分を備えた帯板（以降は筒状帯板と表す）を設け、更に靴紐の結び目余り部分を束ねて結束するための帯板状締め具を設けて、前記の筒状帯板と一体として構成されていることを特徴とする靴紐結束具。
【請求項２】
請求項１記載の靴紐結束具を用いたことを特徴とする靴。
【発明の詳細な説明】
【技術分野】
【０００１】  本発明は、紐締め式靴（以降は靴と表す）における靴紐の結び目が緩んでほどけたり、結び目の余り部分が自由に振れて周囲の物に引っ掛かったりすることのないようにするための靴紐結束具及び靴紐結束具を用いた靴に関するものである。
【背景技術】
【０００２】  一般に、靴は、足に合わせるため、靴本体の上部に設けた複数の靴紐孔に交互に靴紐を締めながら通していき、この靴紐の両端の余り部分が互いに結び目として締結されているが、結び目は結び方が不完全だと緩んでほどけたり、結び目の余り部分は自由に振れて周囲に引っ掛かったりする問題のある構造になっている。【０００３】  そこで、従来の靴紐ほどけ防止具（例えば、特許文献１の靴紐保持具）では、結び目余り部分を、靴紐に固定され、ヒンジを備えた上下挟持片で挟むことにより結び目のほどけること、及び結び目余り部分の自由な振れを防止するものがある。
【先行技術文献】
【特許文献】
【０００４】
【特許文献１】実開平６−３１５０５号  公報
【発明の概要】
【発明が解決しようとする課題】
【０００５】  しかし、上記の靴紐ほどけ防止具では、ヒンジを用いた上下に挟む構造なので、上下挟持片の素材が硬質の場合は衝撃で破損し易く、軟質の場合は結び目余り部分を束ねることができずに、自由な振れを防止できない。
更に靴紐孔の位置及び孔の形状によっては靴に取り付けにくくなったり、靴紐ほどけ防止具自体が移動して目的を果たせなくなってしまったりする問題点があった。【０００６】  本発明は、以上のような問題点を解決するために発明されたものであり、靴紐の結び目がほどけず、また、結び目余り部分が自由に振れて周囲の物に引っ掛かる事がなくなる靴紐結束具、及び靴紐結束具を用いた靴を提供することを目的とする。
【課題を解決するための手段】
【０００７】  請求項１の発明の靴紐結束具では上記の目的を達成するために、靴の靴紐交差部に通して靴に固定するための一ヶ所以上の筒状部分を備えた帯板（以降は筒状帯板と表す）を設け、更に靴紐の結び目余り部分を結束するための面ファスナー方式及びホック方式、等の結合具を備えた帯板状締め具を設けて、前記の筒状帯板と一体とした。【０００８】  そして、靴紐の結び目余り部分を束ねて帯板状締め具で結束することにより、結び目が緩んでほどけることを防ぎ、更に結び目余り部分が自由に振れることを防ぐ。【０００９】  上記の手段は筒状帯板の筒状部分を一ヶ所以上設けた靴紐結束具としたが、より一層、結び目余り部分を自由に振れなくするためには、筒状帯板の筒状部分を帯板状締め具の両側の二ヶ所に設けた形状が好ましい。【００１０】  以上の構成よりなることを特徴とする。【００１１】  請求項２の発明の靴では、請求項１記載の靴紐結束具を備えたことを特徴とする。
【発明の効果】
【００１２】  本発明では、靴紐の結び目と結び目余り部分が一体として靴紐結束具に結束されて靴に固定されることにより，結び目が緩んでほどけなくなり、更に靴に固定された帯板状締め具により、束ねた結び目余り部分を強固に結束することで、結び目余り部分が自由に振れないようにすることができる。【００１３】  上記効果により、ほどけた靴紐が踏まれたり、自転車のペダル等に絡まったりして転倒することを防ぎ、更に結び目余り部分が自由に振れて、樹木の枝又は自動車ドア下部等の突起部に引っ掛かったりして、結び目がほどけたり、転倒したりすることを防止する靴を提供することができる。
【図面の簡単な説明】
【００１４】  本発明の二ヶ所の筒状帯板を備えた靴紐結束具を説明する。
【図１】本発明の筒状帯板部分を靴に取り付けた状態の平面図である。
【図２】靴紐を両側から締めて結び目とした状態の平面図である。
【図３】本発明の帯板状締め具に結び目余り部分を束ねて置いた状態の斜視図である。
【図４】本発明の取り付けを完了した状態の斜視図である。
【図５】面ファスナー方式靴紐結束具の斜視図である。
【図６】面ファスナー方式靴紐結束具の（ａ）平面図、（ｂ）正面図、（ｃ）右側面図である。
【図７】ホック方式靴紐結束具の斜視図である。
【図８】ホック方式靴紐結束具の（ａ）平面図、（ｂ）正面図、（ｃ）右側面図である。
【００１５】  本発明の一ヶ所の筒状帯板を備えた靴紐結束具を説明する。
【図９】本発明の筒状帯板部分を靴に取り付けた状態の平面図である。
【図１０】靴紐を両側から締めて結び目とした状態の平面図である。
【図１１】本発明の帯板状締め具に結び目余り部分を束ねて置いた状態の斜視図である。
【図１２】本発明の取り付けを完了した状態の斜視図である。
【図１３】面ファスナー方式靴紐結束具の斜視図である。
【図１４】面ファスナー方式靴紐結束具の（ａ）平面図、（ｂ）正面図、（ｃ）右側面図である。
【図１５】ホック方式靴紐結束具の斜視図である。
【図１６】ホック方式靴紐結束具の（ａ）平面図、（ｂ）正面図、（ｃ）右側面図である。
【発明を実施するための形態】
【００１６】  以下、本発明の実施の形態を図１〜図１６に基づいて説明する。
【００１７】  本発明の靴紐結束具は、靴３の靴紐交差部５に通して靴３に固定するための筒状帯板１を設け、更に靴紐４の結び目余り部分８を結束するための面ファスナー９方式及びホック１０方式等の結合具を備えた帯板状締め具２を設けて、前記の筒状帯板１と一体とした。
本発明は以上の構成よりなる。
【００１８】  これを使用するときは、先ず、図１、図２、図９、図１０のように、靴紐交差部５に筒状帯板１を通した後、靴紐４を靴紐孔６の最終孔に通し、両側から締めて結び目とする。これにより靴紐結束具が靴３に固定される。
【００１９】  次に、図３、図１１のように、結び目余り部分８を束ねて、面ファスナー９及びホック１０方式等の結合具を備えた帯板状締め具２の上に置いた後、図４、図１２のように、結び目余り部分８を結束するために、束ねた結び目余り部分８を帯板状締め具２で両側から締める。
【００２０】  上記の実施形態により、結び目７がほどけなくなり、ほどけた靴紐４が踏まれたり、自転車のペダルに絡まったりすることによる転倒などを防ぎ、更に結び目余り部分８が自由に振れなくなり、樹木の枝や自動車ドア下部等の突起部に引っ掛かったりすることによる転倒などを防ぐことができる。
【００２１】  本発明の靴紐結束具に使用される素材としては、天然繊維、合成繊維、天然皮革、人造皮革、等の強度と柔軟性を備えたものであればよい。
【符号の説明】
【００２２】１  筒状帯板
２  帯板状締め具
３  靴
４  靴紐
５  靴紐交差部
６  靴紐孔
７  結び目
８  結び目余り部分
９  面ファスナー
１０  ホック
【図１】
2017104469.tif 000003
【図２】
2017104469.tif 000004
【図３】
2017104469.tif 000005
【図４】
2017104469.tif 000006
【図５】
2017104469.tif 000007
【図６】
2017104469.tif 000008
【図７】
2017104469.tif 000009
【図８】
2017104469.tif 000010
【図９】
2017104469.tif 000011
【図１０】
2017104469.tif 000012
【図１１】
2017104469.tif 000013
【図１２】
2017104469.tif 000014
【図１３】
2017104469.tif 000015
【図１４】
2017104469.tif 000016
【図１５】
2017104469.tif 000017
【図１６】
2017104469.tif 000018